(57)【要約】【課題】本発明は、配線の狭ピッチ化を可能にすることを目的としている。【解決手段】第１ランド部３４は、幅に沿った一方向のみに第１ライン部３２から突出するように形成されている。第２ランド部３８は、第１ランド部３４の突出と同じ方向のみに第２ライン部３６から突出するように形成されている。第１ランド部３４及び第２ランド部３８は、第１配線２８及び第２配線３０の長さ方向にずれて位置している。第１ライン部３２は、第２ランド部３８の突出側とは反対側で、第２ライン部３６及び第２ランド部３８の隣に位置している。第１ランド部３４は、第２配線３０の長さ方向に沿って、第２ライン部３６から第２ランド部３８を越えた領域に突出している。第１ランド部３４の第１ライン部３２からの突出長さは、第１ライン部３２と第２ライン部３６の間隔よりも大きい。【選択図】図２
2011002502.tif 000002
【特許請求の範囲】
【請求項１】
隣り合う第１配線及び第２配線を有し、
前記第１配線は、第１ライン部と、前記第１ライン部よりも幅の広い第１ランド部と、を有し、前記第１ランド部は、前記幅に沿った一方向のみに前記第１ライン部から突出するように形成されており、
前記第２配線は、第２ライン部と、前記第２ライン部よりも幅の広い第２ランド部と、を有し、前記第２ランド部は、前記第１ランド部の突出と同じ方向のみに前記第２ライン部から突出するように形成されており、
第１ランド部及び前記第２ランド部は、前記第１配線及び第２配線の長さ方向にずれて位置しており、
前記第１ライン部は、前記第２ランド部の突出側とは反対側で、前記第２ライン部及び前記第２ランド部の隣に位置し、
前記第１ランド部は、前記第２配線の長さ方向に沿って、前記第２ライン部から前記第２ランド部を越えた領域に突出し、
前記第１ランド部の前記第１ライン部からの突出長さは、前記第１ライン部と前記第２ライン部の間隔よりも大きいことを特徴とする表示装置。
【請求項２】
請求項１に記載された表示装置において、
第３ライン部と、前記第３ライン部よりも幅の広い第３ランド部と、を含み、前記第３ランド部は前記第１ランド部と重なって電気的に接続されている第３配線と、
第４ライン部と、前記第４ライン部よりも幅の広い第４ランド部と、を含み、前記第４ランド部は前記第２ランド部と重なって電気的に接続されている第４配線と、
をさらに有することを特徴とする表示装置。
【請求項３】
請求項２に記載された表示装置において、
前記第３ライン部は、前記第１ライン部と重なる領域とは反対方向に、前記第３ランド部から延び、
前記第４ライン部は、前記第２ライン部と重なる領域とは反対方向に、前記第４ランド部から延びることを特徴とする表示装置。
【請求項４】
請求項３に記載された表示装置において、
絶縁層を介してそれぞれ上下に配置された第１配線パターン及び第２配線パターンを有し、
前記第１配線パターンは、前記第１配線及び前記第２配線を含み、
前記第２配線パターンは、前記第３配線及び前記第４配線と、前記第１配線及び前記第２配線と立体交差する第５配線と、を含むことを特徴とする表示装置。
【発明の詳細な説明】
【技術分野】
【０００１】
本発明は、表示装置に関する。
【背景技術】
【０００２】
一般的な配線は、幅の狭い配線ラインと、配線ラインよりも幅の広い端子を有する。複数の端子が一列に並べられると、これらから延びる配線ラインのピッチも、端子のピッチと同じになる。つまり、端子の幅が広いため、これに対応して、配線ラインのピッチも大きくなる。その結果、隣同士の配線ラインの間隔が拡がってスペースが無駄になる。
【０００３】
この問題を解決するため、特許文献１，２には、隣同士の端子を交互にずらして千鳥状に配置することで、端子のピッチを狭くし、これに対応して配線を狭ピッチで配列することが開示されている。
【先行技術文献】
【特許文献】
【０００４】
【特許文献１】特開２００６−１７８１１３号公報
【特許文献２】特開２０００−８１６３５号公報
【発明の概要】
【発明が解決しようとする課題】
【０００５】
従来の千鳥配置の端子によれば、隣同士の端子の一方は、他方の端子に接続する配線ラインに隣り合うので、配線の狭ピッチ化に限界があった。
【０００６】
本発明は、配線の狭ピッチ化を可能にすることを目的としている。
【課題を解決するための手段】
【０００７】
（１）本発明に係る表示装置は、隣り合う第１配線及び第２配線を有し、前記第１配線は、第１ライン部と、前記第１ライン部よりも幅の広い第１ランド部と、を有し、前記第１ランド部は、前記幅に沿った一方向のみに前記第１ライン部から突出するように形成されており、前記第２配線は、第２ライン部と、前記第２ライン部よりも幅の広い第２ランド部と、を有し、前記第２ランド部は、前記第１ランド部の突出と同じ方向のみに前記第２ライン部から突出するように形成されており、第１ランド部及び前記第２ランド部は、前記第１配線及び第２配線の長さ方向にずれて位置しており、前記第１ライン部は、前記第２ランド部の突出側とは反対側で、前記第２ライン部及び前記第２ランド部の隣に位置し、前記第１ランド部は、前記第２配線の長さ方向に沿って、前記第２ライン部から前記第２ランド部を越えた領域に突出し、前記第１ランド部の前記第１ライン部からの突出長さは、前記第１ライン部と前記第２ライン部の間隔よりも大きいことを特徴とする。本発明によれば、第１ランド部が突出する方向には第２ライン部が隣り合わず、第２ランド部が突出する方向にも第１ライン部が隣り合わない。したがって、第１ランド部及び第２ランド部の幅の大きさにかかわらず、第１ライン部と第２ライン部を接近させることができる。これにより、複数の配線の狭ピッチ化が可能になる。
【０００８】
（２）（１）に記載された表示装置において、第３ライン部と、前記第３ライン部よりも幅の広い第３ランド部と、を含み、前記第３ランド部は前記第１ランド部と重なって電気的に接続されている第３配線と、第４ライン部と、前記第４ライン部よりも幅の広い第４ランド部と、を含み、前記第４ランド部は前記第２ランド部と重なって電気的に接続されている第４配線と、をさらに有することを特徴としてもよい。
【０００９】
（３）（２）に記載された表示装置において、前記第３ライン部は、前記第１ライン部と重なる領域とは反対方向に、前記第３ランド部から延び、前記第４ライン部は、前記第２ライン部と重なる領域とは反対方向に、前記第４ランド部から延びることを特徴としてもよい。
【００１０】
（４）（３）に記載された表示装置において、絶縁層を介してそれぞれ上下に配置された第１配線パターン及び第２配線パターンを有し、前記第１配線パターンは、前記第１配線及び前記第２配線を含み、前記第２配線パターンは、前記第３配線及び前記第４配線と、前記第１配線及び前記第２配線と立体交差する第５配線と、を含むことを特徴としてもよい。
【図面の簡単な説明】
【００１１】
【図１】本発明の実施の形態に係る表示装置を説明する概略図である。
【図２】本発明の実施の形態に係る表示装置の複数の配線を説明する図である。
【図３】図２に示す表示装置のIII-III線断面図である。
【発明を実施するための形態】
【００１２】
以下、本発明の実施の形態について、図面を参照して説明する。
【００１３】
図１は、本発明の実施の形態に係る表示装置を説明する概略図である。図１に示す表示装置は、有機エレクトロルミネッセンス装置であるが、本発明はこれに限定されない。
【００１４】
図１において、有効表示領域１０には、図示しない発光層、電子輸送層及び正孔輸送層並びにこれらを挟む陽極及び陰極などの有機エレクトロルミネッセンス装置の画像表示に必要な素子が形成されている。有効表示領域１０の外側には、ＲＧＢ選択回路１２及びシフトレジスタ１４が形成され、ドライバ回路を内蔵する集積回路チップ１６が搭載されている。
【００１５】
表示装置は、複数の端子１８を有する。１グループの端子１８は、シフトレジスタ１４及び集積回路チップ１６に電気的に接続されている。
【００１６】
表示装置は、アノード配線２０を含む。アノード配線２０の１つの端部が、２つ以上の端子１８に接続されている。アノード配線２０は、図１では図示を省略しているが陽極に電気的に接続されている。アノード配線２０は、有効表示領域１０を挟む一対の領域にそれぞれ形成されており、両側から陽極への電流の供給を効率的に行えるようになっている。
【００１７】
配線は、カソード配線２２を含む。カソード配線２２の１つの端部が、２つ以上の端子１８に接続されている。カソード配線２２は、図１では図示を省略しているが陰極に電気的に接続するためのコンタクト部２４を有する。陰極への電子の供給を効率的に行えるようにコンタクト部２４は、有効表示領域１０の一辺に沿って長く延びている。
【００１８】
表示装置は、複数の配線２６を有する。複数の配線２６は、それぞれ、ＲＧＢ選択回路１２と集積回路チップ１６を電気的に接続しており、信号線ということができる。複数の配線２６は、電源線としてのアノード配線２０及びカソード配線２２と立体交差している。本実施の形態では、複数の配線２６がアノード配線２０及びカソード配線２２の下を通るように形成されているが、上下逆の構造であってもよい。
【００１９】
図２は、本発明の実施の形態に係る表示装置の複数の配線を説明する図である。図３は、図２に示す表示装置のIII-III線断面図である。
【００２０】
複数の配線２６のうち、隣り合う一対の配線２６は、隣り合う第１配線２８及び第２配線３０をそれぞれ含む。第１配線２８及び第２配線３０は、例えば、モリブデン・タングステンから形成されている。
【００２１】
第１配線２８は、第１ライン部３２と、第１ライン部３２よりも幅の広い第１ランド部３４と、を有する。第１ライン部３２の２箇所（例えば両端）にそれぞれ第１ランド部３４が位置している。第１ランド部３４は、第１ライン部３２の幅に沿った一方向のみに第１ライン部３２から突出するように形成されている。１つの第１ライン部３２から突出する複数の第１ランド部３４の突出方向は同じである。
【００２２】
第２配線３０は、第２ライン部３６と、第２ライン部３６よりも幅の広い第２ランド部３８と、を有する。第２ライン部３６の２箇所（例えば両端）にそれぞれ第２ランド部３８が位置している。第２ランド部３８は、第１ランド部３４の突出と同じ方向のみに第２ライン部３６から突出するように形成されている。１つの第２ライン部３６から突出する複数の第２ランド部３８の突出方向は同じである。
【００２３】
第１ランド部３４及び第２ランド部３８は、第１配線２８及び第２配線３０の長さ方向にずれて位置している。一対の第２ランド部３８間の距離（第２ライン部３６の長さ）が、一対の第１ランド部３４間の距離（第１ライン部３２の長さ）よりも短くなっている。
【００２４】
第１ライン部３２は、第２ランド部３８の突出側とは反対側で、第２ライン部３６及び第２ランド部３８の隣に位置している。第２配線３０には、第１配線２８の方向に突出する部分がないので、第１ライン部３２と第２ライン部３６を、接触しない範囲で接近させることができる。
【００２５】
第１ランド部３４は、第２配線３０の長さ方向に沿って、第２ライン部３６から第２ランド部３８を越えた領域に至るように突出している。つまり、配線２６を図２のように平面的に見た場合、第１ランド部３４は、第２ライン部３６よりも幅の狭い第４ライン部５０と対向して配置されている。また、第１ランド部３４の第１ライン部３２からの突出長さは、第１ライン部３２と第２ライン部３６の間隔よりも大きい。第１ランド部３４と第４ライン部５０とは絶縁層５６（図３参照）を介して異なる層に形成されている。そのため、図２のように平面的に見た場合、第１ランド部３４と第４ライン部５０との間隔を、第１ライン部３２と第２ライン部３６の間隔よりも狭く形成することも可能である。
【００２６】
本実施の形態によれば、第１ランド部３４が突出する方向には第２ライン部３６が隣り合わず、第２ランド部３８が突出する方向にも第１ライン部３２が隣り合わない。したがって、第１ランド部３４及び第２ランド部３８の幅の大きさにかかわらず、第１ライン部３２と第２ライン部３６を接近させることができる。これにより、複数の配線２６の狭ピッチ化が可能になる。
【００２７】
第１配線２８を一部分として含む配線２６は、さらに、アルミニウムなどからなる第３配線４０を含む。第３配線４０は、第３ライン部４２と、第３ライン部４２よりも幅の広い第３ランド部４４と、を含む。第３ライン部４２は、第１ライン部３２よりも幅が狭くなっている。第３ランド部４４は、第１ランド部３４と重なって電気的に接続されている。第３ランド部４４は、第１ランド部３４よりも幅が狭くなっている。第１ランド部３４及び第３ランド部４４は、両者間の導電体４６によって電気的に接続されている。第３ライン部４２は、第１ライン部３２と重なる領域とは反対方向に、第３ランド部４４から延びている。
【００２８】
第２配線３０を一部分として含む配線２６は、さらに、アルミニウムなどからなる第４配線４８を含む。第４配線４８は、第４ライン部５０と、第４ライン部５０よりも幅の広い第４ランド部５２と、を含む。第４ライン部５０は、第２ライン部３６よりも幅が狭くなっている。第４ランド部５２は、第２ランド部３８と重なって電気的に接続されている。第４ランド部５２は、第２ランド部３８よりも幅が狭くなっている。第４ランド部５２及び第２ランド部３８は、両者間の導電体５４によって電気的に接続されている。第４ライン部５０は、第２ライン部３６と重なる領域とは反対方向に、第４ランド部５２から延びている。
【００２９】
上述した第１配線２８及び第２配線３０に対して、線対照になるように、他の１組の第１配線２８及び第２配線３０が配置されている。２組の第１配線２８及び第２配線３０は、一対の第２配線３０を、一対の第１配線２８で挟むように位置している。一対の第１ランド部３４は、対向するようにそれぞれの第１ライン部３２から突出しているが、両者間には、第３ライン部４２及び第４ライン部５０が位置している。第３ライン部４２及び第４ライン部５０は、それぞれ、第１ライン部３２及び第２ライン部３６よりも幅が狭いので、余裕をもって、導通しない程度の間隔をあけることができる。
【００３０】
図３に示すように、表示装置は、絶縁層５６を介してそれぞれ下と上に配置された第１配線パターン５８及び第２配線パターン６０を有する。第１配線パターン５８は、同じ層に形成された第１配線２８及び第２配線３０を含む。第２配線パターン６０は、同じ層に形成された第３配線４０、第４配線４８並びにアノード配線２０及びカソード配線２２（第５配線）を含む。アノード配線２０及びカソード配線２２（第５配線）は、第１配線２８及び第２配線３０と立体交差する。
【００３１】
上述したように、２組の第１配線２８及び第２配線３０が線対照の位置にあり、その線対照の基準線上には、第６配線６２が位置している。第６配線６２は、第６ライン部６４及びこれよりも幅の広い第６ランド部６６を有する。第６ランド部６６には、第７ランド部６８が重なっており、導電体７０によって電気的な接続が図られている。第７ランド部６８からは第７ライン部７２が延びている。第７ランド部６８は第７ライン部７２よりも幅が広い。第７ライン部７２の幅は、第３ライン部４２又は第４ライン部５０の幅と同じであってもよい。第７ライン部７２及び第７ランド部６８は、第７配線７４の少なくとも一部を構成している。第６配線６２は、第１配線パターン５８の一部である。第７配線７４は、第２配線パターン６０の一部である。
【００３２】
本発明は、上述した実施の形態に限定されるものではなく種々の変形が可能である。例えば、実施の形態で説明した構成は、実質的に同一の構成、同一の作用効果を奏する構成又は同一の目的を達成することができる構成で置き換えることができる。
【符号の説明】
【００３３】
１０  有効表示領域、１２  ＲＧＢ選択回路、１４  シフトレジスタ、１６  集積回路チップ、１８  端子、２０  アノード配線、２２  カソード配線、２４  コンタクト部、２６  配線、２８  第１配線、３０  第２配線、３２  第１ライン部、３４  第１ランド部、３６  第２ライン部、３８  第２ランド部、４０  第３配線、４２  第３ライン部、４４  第３ランド部、４６  導電体、４８  第４配線、５０  第４ライン部、５２  第４ランド部、５４  導電体、５６  絶縁層、５８  第１配線パターン、６０  第２配線パターン、６２  第６配線、６４  第６ライン部、６６  第６ランド部、６８  第７ランド部、７０  導電体、７２  第７ライン部、７４  第７配線。
【図１】
2011002502.tif 000003
【図２】
2011002502.tif 000004
【図３】
2011002502.tif 000005